(57)【特許請求の範囲】
【請求項１】
リムルス試薬と「リポアラビノマンナンを含有する試料」とを接触させる工程を少なくとも含む当該試料中のリポアラビノマンナンの測定方法であって、リムルス試薬との接触前に、当該試料を加熱する工程をさらに含む測定方法。
【請求項２】
リムルス試薬が、エンドトキシン特異的リムルス試薬である、請求項１に記載の測定方法。
【請求項３】
請求項１または２に記載の測定方法を用いることを特徴とする、抗酸菌の検知方法。
【請求項４】
抗酸菌が、結核菌である、請求項３に記載の検知方法。
【請求項５】
リムルス試薬を構成成分として含む、リポアラビノマンナンの測定キット。
【請求項６】
リポアラビノマンナン濃度が既知である試料を含む、請求項５に記載の測定キット。
【請求項７】
リムルス試薬が、エンドトキシン特異的リムルス試薬である、請求項６に記載のキット。
【請求項８】
請求項５〜７のいずれか１項に記載のキットからなる、抗酸菌の検知キット。
【請求項９】
抗酸菌が、結核菌である、請求項８に記載の検知キット。
【請求項１０】
「リポアラビノマンナンを含有する試料」に、下記の群から選ばれる１又は２以上の物質を共存させる工程を少なくとも含む、当該試料中のリポアラビノマンナンのリムルス試薬に対する反応性を除去する方法；
界面活性剤、抗結核抗体、抗リポアラビノマンナン抗体、（１→３）−β−グルカン、強アルカリ性物質、ポリミキシンＢ、コンカナバリンＡ。
【請求項１１】
リムルス試薬を用いるエンドトキシンの測定方法において、リポアラビノマンナンのリムルス試薬に対する反応性を請求項１０に記載の方法で除去する工程を少なくとも含む、「リポアラビノマンナンを含有する試料」中のエンドトキシンの測定方法。
【請求項１２】
リムルス試薬が、エンドトキシン特異的リムルス試薬である、請求項１１に記載の測定方法。
【請求項１３】
請求項１１又は１２に記載の測定方法を用いることを特徴とする、エンドトキシン関連疾患の検知方法。
【請求項１４】
リムルス試薬と下記の群から選ばれる１又は２以上の物質を構成成分として含む、エンドトキシンの測定キット；
抗結核抗体、抗リポアラビノマンナン抗体、（１→３）−β−グルカン。
【請求項１５】
リムルス試薬が、エンドトキシン特異的リムルス試薬である、請求項１４に記載のキット。
【請求項１６】
請求項１４又は１５に記載のキットからなる、エンドトキシン関連疾患の検知キット。
【請求項１７】
リムルス試薬を用いる（１→３）−β−グルカンの測定方法において、リポアラビノマンナンのリムルス試薬に対する反応性を請求項１０に記載の方法で除去する工程を少なくとも含む、「リポアラビノマンナンを含有する試料」中の（１→３）−β−グルカンの測定方法。
【請求項１８】
リムルス試薬が、（１→３）−β−グルカン特異的リムルス試薬である、請求項１７に記載の測定方法。
【請求項１９】
請求項１７又は１８に記載の測定方法を用いることを特徴とする、真菌症の検知方法。
【請求項２０】
リムルス試薬と下記の群から選ばれる１又は２以上の物質を構成成分として含む、（１→３）−β−グルカンの測定キット；
抗結核抗体、抗リポアラビノマンナン抗体、ポリミキシンＢ、コンカナバリンＡ。
【請求項２１】
リムルス試薬が、（１→３）−β−グルカン特異的リムルス試薬である、請求項２０に記載のキット。
【請求項２２】
請求項２０又は２１に記載のキットからなる、真菌症の検知キット。
【発明の詳細な説明】
【技術分野】
【０００１】
本発明は、リポアラビノマンナンの測定方法、これに用いるキット、リポアラビノマンナンのリムルス試薬に対する反応性の除去方法、これを応用したエンドトキシン及び（１→３）−β−グルカンの測定方法、これらに用いるキットに関する。
【背景技術】
【０００２】
リムルス試薬（ライセート試薬とも呼ばれている。）は、カブトガニのアメボサイト・ライセートを主成分とする試薬であって、エンドトキシン（以下、Ｅｔと略記する。）や（１→３）−β−グルカン（以下、ＢＧと略記する。）の検知・測定に用いられている。ＥｔやＢＧはリムルス試薬に対する反応性を有しており、リムルス試薬とこれらの物質が接触すると、リムルス試薬中の種々の因子が関与するカスケード反応（以下、リムルス反応という。）が惹起され、この反応を検知することでこれらの物質を検知・測定することができる。【０００３】
一方、リポアラビノマンナン（以下、ＬＡＭと略記する。）は、抗酸菌（例えば、結核菌等）に特有の細胞壁成分であることが知られている。
特許文献１には、ＥｔやＢＧとは物質的に異なるリムルス反応活性化物質、その不活化方法、その測定方法等が開示されている。しかしこの物質は後述の通りＬＡＭとは全く異なるものであり、ＬＡＭがリムルス試薬に対して反応性を有することについての開示や示唆はない。
【特許文献１】特開平１０−１８５９２４号公報
【発明の開示】
【発明が解決しようとする課題】
【０００４】
本発明は、ＬＡＭの測定方法、これに用いるキット、ＬＡＭのリムルス試薬に対する反応性の除去方法、これを応用したＥｔ及びＢＧの測定方法、これらに用いるキット、ＬＡＭに対する結合剤等を提供することを目的とする。
【課題を解決するための手段】
【０００５】
本発明者は上記課題を解決するために鋭意検討を行った結果、ＬＡＭがリムルス試薬に対する反応性を有することを初めて見出し、この知見に基づいて、ＬＡＭの測定方法、これに用いるキット、ＬＡＭのリムルス試薬に対する反応性の除去方法、これを応用したＥｔ及びＢＧの測定方法並びにこれらに用いるキット等を提供するに至った。【０００６】
すなわち本発明は、リムルス試薬と「ＬＡＭを含有する試料」とを接触させる工程を少なくとも含む、当該試料中のＬＡＭの測定方法（以下、本発明ＬＡＭ測定方法という。）であって、リムルス試薬との接触前に、「ＬＡＭを含有する試料」を加熱する工程をさらに含む測定方法を提供する。また、リムルス試薬はＥｔ特異的リムルス試薬であることが好ましい。
【０００７】
また本発明は、本発明ＬＡＭ測定方法を用いることを特徴とする、抗酸菌の検知方法（以下、本発明抗酸菌検知方法という。）を提供する。検知対象とする抗酸菌は、結核菌が好ましい。【０００８】
また本発明は、リムルス試薬を構成成分として含む、ＬＡＭの測定キット（以下、本発明ＬＡＭ測定キットという。）を提供する。測定キットはリポアラビノマンナン濃度が既知である試料を含むことが好ましい。リムルス試薬は、Ｅｔ特異的リムルス試薬であることが好ましい。
【０００９】
また本発明は、本発明ＬＡＭ測定キットからなる、抗酸菌の検知キット（以下、本発明抗酸菌検知キットという）を提供する。検知対象とする抗酸菌は、結核菌が好ましい。
また本発明は、「ＬＡＭを含有する試料」に、下記の群から選ばれる１又は２以上の物質を共存させる工程を少なくとも含む、当該試料中のＬＡＭのリムルス試薬に対する反応性を除去する方法（以下、本発明反応性除去方法という。）を提供する。【００１０】
界面活性剤、抗結核抗体、抗ＬＡＭ抗体、ＢＧ、強アルカリ性物質、ポリミキシンＢ、コンカナバリンＡ。
【００１１】
また本発明は、リムルス試薬を用いるＥｔの測定方法において、ＬＡＭのリムルス試薬に対する反応性を本発明反応性除去方法で除去する工程を少なくとも含む、「ＬＡＭを含有する試料」中のＥｔの測定方法（以下、本発明Ｅｔ測定方法という。）を提供する。リムルス試薬は、Ｅｔ特異的リムルス試薬であることが好ましい。【００１２】
また本発明は、本発明Ｅｔ測定方法を用いることを特徴とする、Ｅｔ関連疾患の検知方法（以下、本発明Ｅｔ関連疾患検知方法という。）を提供する。
また本発明は、リムルス試薬と下記の群から選ばれる１又は２以上の物質を構成成分として含む、Ｅｔの測定キット（以下、本発明Ｅｔ測定キットという。）を提供する。【００１３】
抗結核抗体、抗ＬＡＭ抗体、ＢＧ。
リムルス試薬は、Ｅｔ特異的リムルス試薬であることが好ましい。
【００１４】
また本発明は、本発明Ｅｔ測定キットからなる、Ｅｔ関連疾患の検知キット（以下、本発明Ｅｔ関連疾患検知キットという。）を提供する。
また本発明は、リムルス試薬を用いるＢＧの測定方法において、ＬＡＭのリムルス試薬に対する反応性を本発明反応性除去方法で除去する工程を少なくとも含む、「ＬＡＭを含有する試料」中のＢＧの測定方法（以下、本発明ＢＧ測定方法という。）を提供する。リムルス試薬は、ＢＧ特異的リムルス試薬であることが好ましい。【００１５】
また本発明は、本発明ＢＧ測定方法を用いることを特徴とする、真菌症の検知方法（以下、本発明真菌症検知方法という。）を提供する。
また本発明は、リムルス試薬と下記の群から選ばれる１又は２以上の物質を構成成分として含む、ＢＧの測定キット（以下、本発明ＢＧ測定キットという。）を提供する。【００１６】
抗結核抗体、抗ＬＡＭ抗体、ポリミキシンＢ、コンカナバリンＡ。
また本発明は、本発明ＢＧ測定キットからなる、真菌症の検知キット（以下、本発明真菌症検知キットという。）を提供する。
【発明の効果】
【００１８】
本発明ＬＡＭ測定方法、本発明抗酸菌検知方法、本発明ＬＡＭ測定キット及び本発明抗酸菌検知キットは、ＬＡＭや抗酸菌を簡便、迅速かつ安価に測定・検知することができ、極めて有用である。【００１９】
また、本発明反応性除去方法は、リムルス反応におけるＬＡＭの影響を簡便、迅速かつ安価に除去することができ、極めて有用である。
本発明Ｅｔ測定方法、本発明Ｅｔ関連疾患検知方法、本発明Ｅｔ測定キット及び本発明Ｅｔ関連疾患検知キットは、ＥｔやＥｔ関連疾患を特異的、かつ簡便、迅速、安価に測定・検知することができ、極めて有用である。【００２０】
本発明ＢＧ測定方法、本発明真菌症検知方法、本発明ＢＧ測定キット及び本発明真菌症検知キットは、ＢＧや真菌症を特異的、かつ簡便、迅速、安価に測定・検知することができ、極めて有用である。【００２１】
本発明結合剤は、ＬＡＭの検知・測定やＬＡＭの除去に用いることができ、極めて有用である。
【発明を実施するための最良の形態】
【００２２】
＜１＞本発明ＬＡＭ測定方法
本発明ＬＡＭ測定方法は、リムルス試薬と「ＬＡＭを含有する試料」とを接触させる工程を少なくとも含む、当該試料中のＬＡＭの測定方法である。【００２３】
「リムルス試薬」は、カブトガニのアメボサイト・ライセートを主成分とする試薬である限りにおいて特に限定されない。このカブトガニの種類も限定されず、リムルス・ポリフェムス（北アメリカ産カブトガニ）、タキプレウス・トリデンタツス、タキプレウス・ギガス、タキプレウス・ロタンディカウダ（以上はアジア産のカブトガニ）のいずれのアメボサイト・ライセートをも用いることができる。アメボサイト・ライセートは、公知の方法で製造することができる。また、市販されているリムルス試薬を用いてもよい。【００２４】
このリムルス試薬は、ＢＧに反応しないように調製されたリムルス試薬（本明細書中において、「Ｅｔ特異的リムルス試薬」という。）であっても、ＥｔにもＢＧにも反応するリムルス試薬であっても良いが、「Ｅｔ特異的リムルス試薬」であることが好ましい。このＥｔ特異的リムルス試薬は公知の方法で製造することもでき、市販されているものを利用することもできる。【００２５】
「ＬＡＭを含有する試料」は、ＬＡＭを含有し又はＬＡＭを含有していることが疑われる試料である限りにおいて特に限定されない。ＬＡＭは抗酸菌特有の細胞壁成分であることから、例えば抗酸菌（例えば結核菌等）の生菌や死菌自体、その細胞壁、細胞壁成分を含有し又は含有していることが疑われる試料等が例示される。このような試料としては、結核ワクチン等が例示される。【００２６】
また「ＬＡＭを含有する試料」として「生体由来の試料」を用いることもできる。「生体由来の試料」も特に限定されないが、体液であることが好ましい。体液は、ＬＡＭが含有されている又はその可能性がある体液である限りにおいて特に限定されない。例えば、血液（本明細書では、血清や血漿をも含む概念として用いる。）、尿、汗、唾液、涙液、関節液、喀痰、乳汁、髄液等を例示することができる。なかでも血液が好ましい。【００２７】
なお、「生体由来の試料」として血液用いる場合は、血液中のリムルス反応妨害因子（セリンプロテアーゼ、セリンプロテアーゼインヒビター等）を公知の方法（例えば、特開昭５８−８５１６２号公報等に記載の方法）で予め除去又は不活化しておくことが好ましい。【００２８】
また、リムルス試薬と試料との「接触」の方法も、リムルス試薬中の因子と試料中のＬＡＭ分子とが接触する限りにおいて限定されず、リムルス試薬に試料を添加してもよく、試料にリムルス試薬を添加してもよく、両者を同時に添加してもよい。【００２９】
本発明ＬＡＭ測定方法は、リムルス試薬と「ＬＡＭを含有する試料」とを接触させる工程を含む限りにおいて、他の工程を含んでいてもよい。例えば、リムルス試薬との接触前に、「ＬＡＭを含有する試料」を加熱する工程をさらに含むことが好ましい。本明細書において「加熱」とは、室温の状態のものに熱を加えることを意味する。加熱後の温度は特に限定されないが、３７〜１２１℃、好ましくは６０〜１００℃、なかでも９５℃まで加熱することが好ましい。加熱した状態を維持する時間も特に限定されないが、５〜６０分、好ましくは１０〜３０分、なかでも２０分程度加熱状態を維持することが好ましい。【００３０】
リムルス試薬と試料とが接触することにより、試料中のＬＡＭがリムルス試薬中のＣ因子（Ｅｔによって活性化される因子として知られている。）を活性化し、これによってリムルス反応が惹起されることとなる。【００３１】
このリムルス反応を検知し測定することによって、試料中のＬＡＭを測定することができる。リムルス反応の検知・測定は、公知の方法で行うことができる。例えば、比色法（エンドポイントアッセイやカイネティックアッセイ）、ゲル化法、比濁法（エンドポイントアッセイやカイネティックアッセイ）等の公知の方法で、それぞれの方法に応じた検知・測定方法を採用することができる。【００３２】
なお本明細書において「測定」とは、定量的な測定のみならず、定性的な測定（ＬＡＭの存否の測定等）をも含む概念である。
ＬＡＭの定量的な測定は、目的に応じて種々の方法を採用することができる。例えば、ＬＡＭ濃度が既知の試料を用いてＬＡＭ濃度とリムルス反応の強度との関係について検量線や関係式を作成しておき、これを用いることによって厳密な定量を行うことができる。また、厳密な定量が必要ない場合には、２つ以上の試料についてその試料間のＬＡＭ量の多少を比較してもよい。ＬＡＭはリムルス反応を惹起させることから、リムルス反応の強度が高ければ、試料中のＬＡＭ量も多いこととなる。【００３３】
ＬＡＭの定性的な測定は、リムルス反応の有無を検知することによって行うことができる。ＬＡＭはリムルス反応を惹起させることから、リムルス反応が検知されれば、試料中にＬＡＭが存在することとなる。
＜２＞本発明抗酸菌検知方法
本発明抗酸菌検知方法は、本発明ＬＡＭ測定方法を用いることを特徴とする、抗酸菌の検知方法である。【００３４】
本発明抗酸菌検知方法は、本発明ＬＡＭ測定方法を、そのまま抗酸菌の検知に応用したものである。ＬＡＭは抗酸菌特有の細胞壁成分であることから、ＬＡＭを測定することによって、抗酸菌の検知を行うことができる。【００３５】
本発明ＬＡＭ測定方法については上記＜１＞を参照されたい。本発明抗酸菌検知方法では、本発明ＬＡＭ測定方法における「ＬＡＭを含有する試料」として、抗酸菌を含有し又は抗酸菌を含有していることが疑われる試料を用いることとなる。【００３６】
検知対象とする菌は、抗酸菌として分類される菌である限りにおいて特に限定されない。例えば、Mycobacterium属、Nocardia属、Rhodococcus属、Gordonia属、Corynebacterium属に属する細菌等が例示される。なかでも結核菌（Mycobacterium属に属する）が好ましい。【００３７】
また、検知対象とする抗酸菌は、生菌であっても死菌であってもよい。
このような試料について、本発明ＬＡＭ測定方法を用いることによって、抗酸菌の検知をすることができる。【００３８】
なお本明細書において、抗酸菌の「検知」とは、定性的な検知（抗酸菌の存否の検知）のみならず、定量的な検知（抗酸菌の量の検知や、抗酸菌感染の悪性度の検知等）をも含む概念である。【００３９】
抗酸菌の定性的な測定は、リムルス反応の有無を検知することによって行うことができる。抗酸菌特有の細胞壁成分であるＬＡＭはリムルス反応を惹起させることから、リムルス反応が検知されれば、試料中に抗酸菌が存在することとなる。【００４０】
抗酸菌の定量的な測定は、目的に応じて種々の方法を採用することができる。例えば、抗酸菌量が既知の試料を用いて抗酸菌量とリムルス反応の強度との関係について検量線や関係式を作成しておき、これを用いることによって厳密な定量を行うことができる。また、厳密な定量が必要ない場合には、２つ以上の試料についてその試料間の抗酸菌量の多少を比較してもよい。抗酸菌特有の細胞壁成分であるＬＡＭはリムルス反応を惹起させることから、リムルス反応の強度が高ければ、試料中の抗酸菌量も多いこととなる。
＜３＞本発明ＬＡＭ測定キット
本発明ＬＡＭ測定キットは、リムルス試薬を構成成分として含む、ＬＡＭの測定キットである。「リムルス試薬」の説明については、前記の＜１＞と同様である。すなわち、このリムルス試薬もＥｔ特異的リムルス試薬であることが好ましい。【００４１】
本発明ＬＡＭ測定キットは、少なくとも「リムルス試薬」を構成成分として含んでいる限りにおいて、他の構成成分をさらに含んでいてもよい。このような構成成分としては、例えばブランクテスト用蒸留水，反応試薬溶解液、反応用緩衝液等を挙げることができる。さらに本発明ＬＡＭ測定キットには、測定バッチ同士の実施レベルを一定水準に保つための陽性コントロール（ＱＣコントロール）等を含有させることもできる。【００４２】
これらの構成成分は、それぞれ別体の容器に収容し保存しておくことができる。
本発明ＬＡＭ測定キットを用いたＬＡＭの測定は、前記＜１＞の本発明ＬＡＭ測定方法に従って行うことができる。
＜４＞本発明抗酸菌検知キット
本発明抗酸菌検知キットは、本発明ＬＡＭ測定キットからなる、抗酸菌の検知キットである。本発明ＬＡＭ測定キットの説明は、前記＜３＞を参照されたい。【００４３】
本発明抗酸菌検知キットの検知対象とする抗酸菌の説明については、前記＜２＞の本発明抗酸菌検知方法と同様である。すなわち、検知対象とする抗酸菌は、結核菌であることが好ましい。【００４４】
本発明抗酸菌検知キットを用いた抗酸菌の検知は、前記＜２＞の本発明抗酸菌検知方法に従って行うことができる。
＜５＞本発明反応性除去方法
本発明反応性除去方法は、「ＬＡＭを含有する試料」に、下記の群から選ばれる１又は２以上の物質を共存させる工程を少なくとも含む、当該試料中のＬＡＭのリムルス試薬に対する反応性を除去する方法である。【００４５】
界面活性剤、抗結核抗体、抗ＬＡＭ抗体、ＢＧ、強アルカリ性物質、ポリミキシンＢ、コンカナバリンＡ。
【００４６】
「ＬＡＭを含有する試料」や「リムルス試薬」についての説明は、前記＜１＞の本発明ＬＡＭ測定方法と同様である。
ここで用いることができる「界面活性剤」は、ＥｔやＢＧのリムルス試薬に対する反応性を損なわせるものではなく、かつ、リムルス試薬中に存在するリムルス反応に関与する種々の因子に対して阻害作用がないものである限りにおいて特に限定されない。例えば、陽イオン性界面活性剤、陰イオン性界面活性剤、両性界面活性剤、非イオン性界面活性剤または天然由来の界面活性剤などのいずれであってもよい。【００４７】
なかでも、Ｅｔに対する直接作用の少ない非イオン性界面活性剤を選択することが好ましい。なお、これらの界面活性剤を適宜組み合わせて用いてもよい。
非イオン性界面活性剤の中でも、親水性部分にポリオキシエチレンを有する構造をもつ界面活性剤（以下、「ポリオキシエチレン類」ともいう）が好ましい。ポリオキシエチレン類としては、ポリオキシエチレンアルキルエーテル（一般式、CnH2n+1(OCH2CH2)xOHと表され、通常省略してCnExと表記する）、アルキル鎖とポリオキシエチレン鎖の間にフェニル基が入ったポリオキシエチレンアルキルフェニルエーテル（CnΦEx）及びアシルポリオキシエチレンソルビタン（CnソルビタンEx）などが挙げられ、これらは、それぞれBrij（CnEx）、Tergitol（CnEx）、Triton
X（CnΦEx）、Tween （CnソルビタンEx）という一般的名称（商品名）で呼ばれ、膜タンパク質の可溶化など多くの目的で汎用されている。【００４８】
ここで用いることができるポリオキシエチレン類のポリオキシエチレン鎖（上記一般式中の「(OCH2CH2)xOH」部分、「Ex」とも略記する）は、特に限定されないが、ｘ＝２〜２５の整数、好ましくはｘ＝４〜２３の整数、さらに好ましくはｘ＝７〜１３の整数である化合物が好ましい。また本発明で用いられるポリオキシエチレン類のアルキル基（上記式中の「CnH2n+1」部分、「Cn」とも略記する）の炭素数としては、特に限定されないが、ｎ＝８〜１８の整数である化合物が好ましい。【００４９】
このようなポリオキシエチレン類としては、ポリオキシエチレンドデシルエーテル、ポリオキシエチレンヘキサデシルエーテル（ポリオキシエチレンセチルエーテルともいう）、ポリオキシエチレンイソオクチルフェニルエーテル、ポリオキシエチレンノニルフェニルエーテル、ポリオキシエチレン脂肪酸エステルならびにポリオキシエチレンソルビトールエステルなどが挙げられる。これらの中でも、ポリオキシエチレンヘキサデシルエーテルが極めて好ましい。またこれらの界面活性剤は水溶液として用い、一定のミセルサイズを有するものが望ましい。【００５０】
なお、これらの界面活性剤の水溶液の溶媒は、緩衝液であってもよい。緩衝液としては、ｐＨ７〜９程度に調整された緩衝液であることが好ましく、例えばグッド緩衝液〔例えば、ＨＥＰＥＳ（Ｎ−２−ヒドロキシエチルピペラジン−Ｎ’−２−エタンスルホン酸緩衝液），コラミンクロリド緩衝液，ＢＥＳ緩衝液，ＭＯＰＳ緩衝液，ＴＥＳ緩衝液，ＨＥＰＰＳ緩衝液（Ｎ−２−ヒドロキシエチルピペラジン−Ｎ’−３−プロパンスルホン酸），Ｔｒｉｃｉｎｅ緩衝液，グリシンアミド緩衝液，Ｂｉｃｉｎｅ緩衝液，ＴＡＰＳ緩衝液等〕，トリス−塩酸緩衝液等を挙げることができる。【００５１】
「ＬＡＭを含有する試料」に共存させる界面活性剤の量は、界面活性剤の種類等に応じて適宜変更可能であり、特に限定されない。具体的な界面活性剤の濃度としては、「ＬＡＭを含有する試料」に接触した際の終濃度として、通常０．００１％〜０．８％（Ｗ／Ｖ）、好ましくは０．００３％〜０．５％（Ｗ／Ｖ）、さらに好ましくは０．００５％〜０．３％（Ｗ／Ｖ）等が例示される。【００５２】
また、ここで用いることができる「抗結核抗体」は、結核菌の細胞壁に存在するＬＡＭに対して結合する抗体である限りにおいて特に限定されず、結核菌やその細胞壁成分等を抗原として公知の方法で製造したものであってもよく、市販のものであってもよい。なかでも、結核菌の細胞壁に存在するＬＡＭに特異的に結合する抗体が好ましい。【００５３】
また、ここで用いることができる「抗ＬＡＭ抗体」は、ＬＡＭに対して結合する抗体である限りにおいて特に限定されず、ＬＡＭを抗原として公知の方法で製造したものであってもよく、市販のものであってもよい。なかでも、ＬＡＭに特異的に結合する抗体が好ましい。【００５４】
これらの抗体は、免疫グロブリンの分子構造を完全に保持しているものは勿論、抗原結合部位（Ｆａｂ）を分解しないプロテアーゼ（例えばプラスミン、ペプシン、パパイン等）で処理してＦａｂを含むフラグメントとしたものであっても良い。抗体のＦａｂを含むフラグメントとしては、Ｆａｂ以外に、Ｆａｂｃ、(Ｆａｂ')2等が例示される。【００５５】
また、抗体をコードする遺伝子の塩基配列や抗体のアミノ酸配列が決定されれば、遺伝子工学的にこれらの抗体のＦａｂを含むフラグメントやキメラ抗体を作製することもできる。以上のような、抗体のＦａｂを含むフラグメントやキメラ抗体も、本明細書における「抗体」の概念に包含される。【００５６】
「ＬＡＭを含有する試料」に共存させるこれらの抗体の量は、抗体の種類等に応じて適宜変更可能であり、特に限定されない。
また、ここで用いることができる「ＢＧ」も特に限定されないが、パキマン、カードラン、ＣＳＢＧ（Candida albicans菌体由来のＢＧ）等が例示される。なかでもパキマンが好ましい。またＢＧは、β−１，３結合のみを含むものだけでなく、β−１，６結合等で枝分かれしたものであってもよい。【００５７】
また、ＢＧは官能基等が修飾された誘導体であってもよい。このような誘導体としては、例えばカルボキシメチル化されたＢＧを例示することができる。なかでもカルボキシメチルカードランが好ましい。【００５８】
「ＬＡＭを含有する試料」に共存させるＢＧやその誘導体の量は、これらの種類、分子サイズ等に応じて適宜変更可能であり、特に限定されない。
また、ここで用いることができる「Ｇ因子活性化阻害剤」も、リムルス試薬中に存在するＧ因子の活性化を阻害する作用を有する物質である限りにおいて特に限定されないが、例えば国際公開ＷＯ９０／０２９５１号パンフレットに記載されているポリグルコシド等が例示される。「ＬＡＭを含有する試料」に共存させる「Ｇ因子活性化阻害剤」の量は、「Ｇ因子活性化阻害剤」の種類等に応じて適宜変更可能であり、特に限定されない。【００５９】
また、ここで用いることができる「強アルカリ性物質」も特に限定されないが、アルカリ金属水酸化物であることが好ましい。アルカリ金属水酸化物としては、水酸化ナトリウムや水酸化カリウム等が例示される。【００６０】
また、ここで用いることができる「ポリミキシンＢ」、「コンカナバリンＡ」は、市販のものを用いることもできる。
「ＬＡＭを含有する試料」にこれらの物質を共存させる際の順序や方法等は、これらの物質が修飾や破壊されることなく「ＬＡＭを含有する試料」中に存在することとなる限りにおいて、特に限定されない。
【００６１】
「ＬＡＭを含有する試料」にこれらの物質を共存させる方法は、通常、「ＬＡＭを含有する試料」とこれらの物質とを十分混合することにより達成される。また、「ＬＡＭを含有する試料」とこれらの物質とを共存させる順序については、リムルス試薬中にこれらの物質を加えておいて「ＬＡＭを含有する試料」との混合及び反応を同時に行ってもよいが、リムルス試薬と「ＬＡＭを含有する試料」とを接触させる前に予め「ＬＡＭを含有する試料」と混合されている方が効果の点でより望ましい。【００６２】
本発明反応性除去方法により、「ＬＡＭを含有する試料」中のＬＡＭのリムルス試薬に対する反応性を特異的に除去することができる。
＜６＞本発明Ｅｔ測定方法
本発明Ｅｔ測定方法は、リムルス試薬を用いるＥｔの測定方法において、ＬＡＭのリムルス試薬に対する反応性を本発明反応性除去方法で除去する工程を少なくとも含む、「ＬＡＭを含有する試料」中のＥｔの測定方法である。【００６３】
「リムルス試薬」や「ＬＡＭを含有する試料」についての説明は、前記＜１＞の本発明ＬＡＭ測定方法と同様である。すなわち、このリムルス試薬も、Ｅｔ特異的リムルス試薬であることが好ましい。【００６４】
また、本発明反応性除去方法については、前記＜５＞を参照されたい。ただし、ここではポリミキシンＢ、コンカナバリンＡ以外の物質を用いる必要がある。
【００６５】
本発明Ｅｔ測定方法は、リムルス試薬を用いるＥｔの測定方法において、ＬＡＭのリムルス試薬に対する反応性を本発明反応性除去方法で除去する工程を含む限りにおいて、他の工程を含んでいてもよい。【００６６】
また、ＬＡＭのリムルス試薬に対する反応性を本発明反応性除去方法で除去するタイミングも特に限定されないが、リムルス試薬と「ＬＡＭを含有する試料」とを接触させる前に、当該試料中のＬＡＭのリムルス試薬に対する反応性を本発明反応性除去方法で除去する工程を置くことが好ましい。ここにいう「接触」についての説明は、前記＜１＞の本発明ＬＡＭ測定方法と同様である。【００６７】
本発明Ｅｔ測定方法によれば、「ＬＡＭを含有する試料」中のＬＡＭのリムルス試薬に対する反応性が除去されることから、当該試料中のＥｔを、ＬＡＭの影響を受けることなく測定することができる。【００６８】
Ｅｔによって引き起こされるリムルス反応の検知・測定は、公知の方法で行うことができる。例えば、比色法（エンドポイントアッセイやカイネティックアッセイ）、ゲル化法、比濁法（エンドポイントアッセイやカイネティックアッセイ）等の公知の方法で、それぞれの方法に応じた検知・測定方法を採用することができる。【００６９】
前記の通り、本明細書において「測定」とは、定量的な測定のみならず、定性的な測定（Ｅｔの存否の測定等）をも含む概念である。
Ｅｔの定量的な測定は、目的に応じて種々の方法を採用することができる。例えば、Ｅｔ濃度が既知の試料を用いてＥｔ濃度とリムルス反応の強度との関係について検量線や関係式を作成しておき、これを用いることによって厳密な定量を行うことができる。また、厳密な定量が必要ない場合には、２つ以上の試料についてその試料間のＥｔ量の多少を比較してもよい。Ｅｔはリムルス反応を惹起させることから、リムルス反応の強度が高ければ、試料中のＥｔ量も多いこととなる。【００７０】
Ｅｔの定性的な測定は、リムルス反応の有無を検知することによって行うことができる。Ｅｔはリムルス反応を惹起させることから、リムルス反応が検知されれば、試料中にＥｔが存在することとなる。
＜７＞本発明Ｅｔ関連疾患検知方法
本発明Ｅｔ関連疾患検知方法は、本発明Ｅｔ測定方法を用いることを特徴とする、Ｅｔ関連疾患の検知方法である。【００７１】
本発明Ｅｔ関連疾患検知方法は、本発明Ｅｔ測定方法を、そのままＥｔ関連疾患の検知に応用したものである。
本発明Ｅｔ測定方法については上記＜６＞を参照されたい。本発明Ｅｔ関連疾患検知方法では、本発明Ｅｔ測定方法における「ＬＡＭを含有する試料」として、Ｅｔを含有し又はＥｔを含有していることが疑われる生体由来の試料を用いることとなる。【００７２】
検知対象とするＥｔ関連疾患は、Ｅｔに基づいて引き起こされる疾患である限りにおいて特に限定されない。例えば、Ｅｔ血症やグラム陰性菌感染症が例示される。
また「生体由来の試料」も特に限定されないが、体液であることが好ましい。体液は、Ｅｔが含有されている又はその可能性がある体液である限りにおいて特に限定されない。例えば、血液（本明細書では、血清や血漿をも含む概念として用いる。）、尿、汗、唾液、涙液、関節液、喀痰、乳汁、髄液等を例示することができる。なかでも血液が好ましい。【００７３】
なお、「生体由来の試料」として血液用いる場合は、血液中のリムルス反応妨害因子（セリンプロテアーゼ、セリンプロテアーゼインヒビター等）を公知の方法（例えば、特開昭５８−８５１６２号公報等に記載の方法）で予め除去又は不活化しておくことが好ましい。【００７４】
このような試料について、本発明Ｅｔ測定方法を用いることによって、Ｅｔ関連疾患の検知をすることができる。
前記の通り、本明細書において「検知」とは、定性的な検知（Ｅｔ関連疾患の存否の検知）のみならず、定量的な検知（Ｅｔ関連疾患の悪性度の検知等）をも含む概念である。【００７５】
Ｅｔ関連疾患の定性的な測定は、リムルス反応の有無を検出することによって行うことができる。Ｅｔはリムルス反応を惹起させることから、リムルス反応が検知されれば、Ｅｔ関連疾患であるか又はその疑いがあることになる。【００７６】
Ｅｔ関連疾患の定量的な測定は、目的に応じて種々の方法を採用することができる。例えば、Ｅｔ量が既知の試料を用いてＥｔ量とリムルス反応の強度との関係について検量線や関係式を作成しておき、これを用いることによって厳密な定量を行うことができる。また、厳密な定量が必要ない場合には、２つ以上の試料についてその試料間のＥｔ量の多少を比較してもよい。Ｅｔはリムルス反応を惹起させることから、リムルス反応の強度が高ければ試料中のＥｔ量も多いこととなり、これに対応してＥｔ関連疾患の悪性度が高い又はその疑いがあると関連づけることができる。
＜８＞本発明Ｅｔ測定キット
本発明Ｅｔ測定キットは、リムルス試薬と下記の群から選ばれる１又は２以上の物質を構成成分として含む、Ｅｔの測定キットである。【００７７】
抗結核抗体、抗ＬＡＭ抗体、ＢＧ。
「リムルス試薬」、上記の各物質の説明については、前記の＜１＞及び＜５＞と同様である。すなわち、ここで用いるリムルス試薬もＥｔ特異的リムルス試薬であることが好ましい。
【００７８】
本発明Ｅｔ測定キットは、少なくとも「リムルス試薬」を構成成分として含んでいる限りにおいて、他の構成成分をさらに含んでいてもよい。このような構成成分としては、例えばブランクテスト用蒸留水，反応試薬溶解液、反応用緩衝液等を挙げることができる。さらに本発明Ｅｔ測定キットには、測定バッチ同士の実施レベルを一定水準に保つための陽性コントロール（ＱＣコントロール）等を含有させることもできる。【００７９】
これらの構成成分は、それぞれ別体の容器に収容し保存しておくことができる。
本発明Ｅｔ測定キットを用いたＥｔの測定は、前記＜６＞の本発明Ｅｔ測定方法に従って行うことができる。
＜９＞本発明Ｅｔ関連疾患検知キット
本発明Ｅｔ関連疾患検知キットは、本発明Ｅｔ測定キットからなる、Ｅｔ関連疾患の検知キットである。本発明Ｅｔ測定キットの説明は、前記＜８＞を参照されたい。【００８０】
本発明Ｅｔ関連疾患検知キットの検知対象とするＥｔ関連疾患の説明、及び、用いる「生体由来の試料」等の説明については、前記＜７＞の本発明Ｅｔ関連疾患検知方法と同様である。すなわち、検知対象とするＥｔ関連疾患としてはＥｔ血症やグラム陰性菌感染症が例示され、用いる「生体由来の試料」は血液であることが好ましい。また、「生体由来の試料」として血液を用いる場合に、血液中のリムルス反応妨害因子（セリンプロテアーゼ、セリンプロテアーゼインヒビター等）を予め除去又は不活化しておくことが好ましい点についても、前記＜７＞と同様である。【００８１】
本発明Ｅｔ関連疾患検知キットを用いたＥｔ関連疾患の検知は、前記＜７＞の本発明Ｅｔ関連疾患検知方法に従って行うことができる。
＜１０＞本発明ＢＧ測定方法
本発明ＢＧ測定方法は、リムルス試薬を用いるＢＧの測定方法において、ＬＡＭのリムルス試薬に対する反応性を本発明反応性除去方法で除去する工程を少なくとも含む、「ＬＡＭを含有する試料」中のＢＧの測定方法である。【００８２】
「リムルス試薬」や「ＬＡＭを含有する試料」についての説明は、前記＜１＞の本発明ＬＡＭ測定方法と同様である。
また、本発明反応性除去方法については、前記＜５＞を参照されたい。ただし、ここでは、ＢＧ、カルボキシメチル化されたＢＧ、Ｇ因子活性化阻害剤以外の物質を用いる必要がある。【００８３】
本発明ＢＧ測定方法は、リムルス試薬を用いるＢＧの測定方法において、ＬＡＭのリムルス試薬に対する反応性を本発明反応性除去方法で除去する工程を含む限りにおいて、他の工程を含んでいてもよい。【００８４】
また、本発明反応性除去方法を適用するタイミング、「接触」についての説明等についても、前記＜６＞の本発明Ｅｔ測定方法と同様である。
本発明ＢＧ測定方法によれば、「ＬＡＭを含有する試料」中のＬＡＭのリムルス試薬に対する反応性が除去されることから、当該試料中のＢＧを、ＬＡＭの影響を受けることなく測定することができる。【００８５】
ＢＧによって引き起こされるリムルス反応の検知・測定に関する説明、「測定」についての説明等も、前記＜６＞の本発明Ｅｔ測定方法と同様である。
＜１１＞本発明真菌症検知方法
本発明真菌症検知方法は、本発明ＢＧ測定方法を用いることを特徴とする、真菌症の検知方法である。【００８６】
本発明真菌症検知方法は、本発明ＢＧ測定方法を、そのまま真菌症の検知に応用したものである。
本発明ＢＧ測定方法については上記＜１０＞を参照されたい。本発明真菌症検知方法では、本発明ＢＧ測定方法における「ＬＡＭを含有する試料」として、ＢＧを含有し又はＢＧを含有していることが疑われる生体由来の試料を用いることとなる。【００８７】
検知対象とする真菌症は、真菌症のカテゴリーに分類される疾患である限りにおいて特に限定されない。例えば、深在性真菌感染症等が例示される。
「生体由来の試料」の説明については、前記＜７＞の本発明Ｅｔ関連疾患検知方法と同様である。「生体由来の試料」として血液用いる場合は、血液中のリムルス反応妨害因子（セリンプロテアーゼ、セリンプロテアーゼインヒビター等）を公知の方法（例えば、特開昭５８−８５１６２号公報等に記載の方法）で予め除去又は不活化しておくことが好ましい点についても、前記＜７＞と同様である。【００８８】
このような試料について、本発明ＢＧ測定方法を用いることによって、真菌症の検知をすることができる。
「検知」の説明等についても、前記＜７＞と同様である。
＜１２＞本発明ＢＧ測定キット
本発明ＢＧ測定キットは、リムルス試薬と下記の群から選ばれる１又は２以上の物質を構成成分として含む、ＢＧの測定キットである。【００８９】
抗結核抗体、抗ＬＡＭ抗体、ポリミキシンＢ、コンカナバリンＡ。
「リムルス試薬」、上記の各物質の説明については、前記の＜１＞及び＜５＞と同様で
ある。ただし、ここで用いるリムルス試薬は、ＢＧ特異的リムルス試薬であることが好ま
しい。
【００９０】
本発明ＢＧ測定キットは、少なくとも「リムルス試薬」を構成成分として含んでいる限りにおいて、他の構成成分をさらに含んでいてもよい。このような構成成分の説明等は、上記＜８＞の本発明Ｅｔ測定キットと同様である。【００９１】
本発明ＢＧ測定キットを用いたＢＧの測定は、前記＜１０＞の本発明ＢＧ測定方法に従って行うことができる。
＜１３＞本発明真菌症検知キット
本発明真菌症検知キットは、本発明ＢＧ測定キットからなる、真菌症の検知キットである。本発明ＢＧ測定キットの説明は、前記＜１２＞を参照されたい。【００９２】
本発明真菌症検知キットの検知対象とする真菌症の説明、及び、用いる「生体由来の試料」等の説明については、前記＜１１＞の本発明真菌症検知方法と同様である。すなわち、検知対象とする真菌症としては深在性真菌感染症が例示され、用いる「生体由来の試料」は血液であることが好ましい。また、「生体由来の試料」として血液を用いる場合に、血液中のリムルス反応妨害因子（セリンプロテアーゼ、セリンプロテアーゼインヒビター等）を予め除去又は不活化しておくことが好ましい点についても、前記＜１１＞と同様である。【００９３】
本発明真菌症検知キットを用いた真菌症の検知は、前記＜１１＞の本発明真菌症検知方法に従って行うことができる。
【００９９】
したがって、本発明は、下記の群から選ばれる１又は２以上の物質を用いることを特徴とするＬＡＭの検知・測定方法、下記の群から選ばれる１又は２以上の物質を構成成分として含むＬＡＭの測定キット、下記の群から選ばれる１又は２以上の物質が固着された担体を用いることを特徴とするＬＡＭの除去方法、及び、下記の群から選ばれる１又は２以上の物質が固着された担体を含むＬＡＭの除去剤（吸着除去剤）等の概念をも包含する。【０１００】
抗結核抗体、抗ＬＡＭ抗体、（１→３）−β−グルカン、ポリミキシンＢ、コンカナバリンＡ。
＜１５＞本発明の具体的な実施態様の例
例えば、以下に示す具体的な実施態様は、いずれも本発明に包含されるものである。なお、以下の態様はあくまで例示であって、これらにより本発明の技術的範囲が限定されるものではない。
（１）ＬＡＭを含有する試料中のＥｔ活性（濃度）を、共存しているＬＡＭの影響を受けることなく測定する方法であって、当該試料を予め界面活性剤、パキマン、抗結核死菌体抗体及び抗ＬＡＭ抗体から選ばれる少なくとも１つの物質と接触させてから、Ｅｔ特異的リムルス試薬で測定する方法。
（２）ＬＡＭを含有する試料中のＬＡＭ活性（濃度）を、共存しているＥｔの影響を受けることなく測定する方法であって、当該試料を予め加熱してから、Ｅｔ特異的リムルス試薬で測定する方法。
（３）上記（１）の方法で血中のＥｔ濃度を測定し、Ｅｔ血症又はグラム陰性菌感染症を検知する方法。
（４）上記（２）の方法で血中のＬＡＭ濃度を測定し、結核感染を検知する方法。
（５）ＬＡＭを含有する試料中のＥｔ活性（濃度）を、共存しているＬＡＭ及びＢＧの影響を受けることなく測定する方法であって、当該試料を予め界面活性剤及びＧ因子活性化阻害剤と接触させてから、ＥｔとＢＧの両方に反応するリムルス試薬で測定する方法。
（６）ＬＡＭを含有する試料中のＥｔ活性（濃度）を、共存しているＬＡＭ及びＢＧの影響を受けることなく測定する方法であって、当該試料を予めパキマン及びＧ因子活性化阻害剤と接触させてから、ＥｔとＢＧの両方に反応するリムルス試薬で測定する方法。
（７）ＬＡＭを含有する試料中のＥｔ活性（濃度）を、共存しているＬＡＭ及びＢＧの影響を受けることなく測定する方法であって、当該試料を予め抗結核死菌体抗体及びＧ因子活性化阻害剤と接触させてから、ＥｔとＢＧの両方に反応するリムルス試薬で測定する方法。
（８）ＬＡＭを含有する試料中のＥｔ活性（濃度）を、共存しているＬＡＭ及びＢＧの影響を受けることなく測定する方法であって、当該試料を予め抗ＬＡＭ抗体及びＧ因子活性化阻害剤と接触させてから、ＥｔとＢＧの両方に反応するリムルス試薬で測定する方法。（９）ＬＡＭを含有する試料中のＥｔ活性（濃度）を、共存しているＬＡＭ及びＢＧの影響を受けることなく測定する方法であって、当該試料を予め界面活性剤及びカードラン（及び／又はカルボキシメチルカードラン）と接触させてから、ＥｔとＢＧの両方に反応するリムルス試薬で測定する方法。
（１０）ＬＡＭを含有する試料中のＥｔ活性（濃度）を、共存しているＬＡＭ及びＢＧの影響を受けることなく測定する方法であって、当該試料を予めパキマン及びカードラン（及び／又はカルボキシメチルカードラン）と接触させてから、ＥｔとＢＧの両方に反応するリムルス試薬で測定する方法。
（１１）ＬＡＭを含有する試料中のＥｔ活性（濃度）を、共存しているＬＡＭ及びＢＧの影響を受けることなく測定する方法であって、当該試料を予め抗結核死菌体抗体及びカードラン（及び／又はカルボキシメチルカードラン）と接触させてから、ＥｔとＢＧの両方に反応するリムルス試薬で測定する方法。
（１２）ＬＡＭを含有する試料中のＥｔ活性（濃度）を、共存しているＬＡＭ及びＢＧの影響を受けることなく測定する方法であって、当該試料を予め抗ＬＡＭ抗体及びカードラン（及び／又はカルボキシメチルカードラン）と接触させてから、ＥｔとＢＧの両方に反応するリムルス試薬で測定する方法。
（１３）ＬＡＭを含有する試料中のＬＡＭ活性（濃度）を、共存しているＥｔ及びＢＧの影響を受けることなく測定する方法であって、当該試料を予めＧ因子活性化阻害剤の存在下で加熱してから、ＥｔとＢＧの両方に反応するリムルス試薬で測定する方法。
（１４）ＬＡＭを含有する試料中のＬＡＭ活性（濃度）を、共存しているＥｔ及びＢＧの影響を受けることなく測定する方法であって、当該試料を予めカードラン及び／又はカルボキシメチルカードランの存在下で加熱してから、ＥｔとＢＧの両方に反応するリムルス試薬で測定する方法。
（１５）上記（１３）及び（１４）における「ＬＡＭを含有する試料」として血漿または血清を用いることにより血中のＬＡＭ活性（濃度）を測定し、結核感染を検知する方法。（１６）血漿又は血清を、予め界面活性剤、「パキマン、抗結核死菌体抗体及び抗ＬＡＭ抗体から選ばれる少なくとも１つの物質」及び「Ｇ因子活性化阻害剤、カードラン及びカルボキシメチルカードランから選ばれる少なくとも１つの物質」を含む水溶液で希釈し、加熱してから、ＥｔとＢＧの両方に反応するリムルス試薬で測定することによって、共存しているＬＡＭ及びＢＧの影響を受けることなく血中のＥｔ活性（濃度）を測定し、Ｅｔ血症又はグラム陰性菌感染症を検知する方法。
（１７）血漿又は血清を、予め界面活性剤及び「パキマン、抗結核死菌体抗体及び抗ＬＡＭ抗体から選ばれる少なくとも１つの物質」を含む水溶液で希釈し、加熱してから、Ｅｔ特異的リムルス試薬で測定することによって、共存しているＬＡＭ及びＢＧの影響を受けることなく血中のＥｔ活性（濃度）を測定し、Ｅｔ血症又はグラム陰性菌感染症を検知する方法。
（１８）血漿又は血清を、予めポリミキシンＢの存在下で加熱してから、ＥｔとＢＧの両方に反応するリムルス試薬で測定することによって、共存しているＬＡＭ及びＥｔの影響を受けることなく血中のＢＧ活性（濃度）を測定し、深在性真菌感染症を検知する方法。（１９）本発明結合剤の有効成分物質（標識したもの）の分子と、ＬＡＭ分子とを接触させ、その後、ＬＡＭに結合した当該物質（当該標識）を直接又は溶出させてから検出することにより、ＬＡＭの検知・測定を行う方法。
（２０）本発明結合剤の有効成分物質の分子を不溶性の担体に固相化し、これをＬＡＭを含有する溶液に接触させ、その後当該担体を溶液と分離して除去することによる、溶液中のＬＡＭを除去する方法。
【０１０１】
以下に、本発明の実施例を具体的に説明する。しかしながら、これらにより本発明の技術的範囲が限定されるものではない。
なお、本実施例で使用したＬＡＭは、ヒト型結核菌（青山Ｂ株；Mycobacterium tuberculosis Aoyama-B）株の死菌体から有機溶媒抽出とカラムクロマトグラフィーで高純度に単離精製したＬＡＭ（ナカライテスク株式会社販売）である。
【実施例１】
【０１０２】
このＬＡＭを、２００ｎｇ／ｍＬとなるように蒸留水（Ｅｔ及びＢＧフリー）に溶解して、ＬＡＭを含有する試料を作成した。この試料に以下の各種の処理を施した後、その２５μＬをＥｔ及びＢＧフリーのマイクロタイタープレート（トキシペットプレート９６Ｆ、生化学工業株式会社販売）中でＥｔ特異的リムルス試薬（商品名：エンドスペック  ＥＳテストＭＫ、生化学工業株式会社販売）１００μＬと混合し、マイクロプレートリーダー（ウェルリーダーＳＫ６０３、生化学工業株式会社販売）内で３７℃で３０分間測定した。【０１０３】
その後、１分間当たりの吸光度［A405nm-492nm（対照波長）］変化率（mAbs/min）からリムルス反応の程度を算出し、無処理の試料（コントロール）と比較した。
なお、ここで用いたリムルス試薬は、Ｇ因子の反応性を喪失させることによりＣ因子のみが活性化されうるように処理してある（Ｅｔにのみ反応するように処理してある）。従って、ここでリムルス反応が検知されたとすれば、Ｃ因子が活性化されたこと（添加した試料には、Ｃ因子活性化能があること）を意味することとなる。
（処理）
・ポリミキシンＢ処理（ＬＡＭ含有試料に、終濃度が１ｍｇ／ｍＬとなるようにポリミキシンＢ硫酸塩（Sigma社）を等量添加して混合した。）
・酸加熱処理（ＬＡＭ含有試料に、終濃度が０．２ＭとなるようにＨＣｌ水溶液を等量添加して混合し、３７℃で６０分間インキュベートした。）
・アルカリ加熱処理（ＬＡＭ含有試料に、終濃度が０．２ＭとなるようにＫＯＨ水溶液を等量添加して混合し、３７℃で６０分間インキュベートした。）
・煮沸処理（ＬＡＭ含有試料を６０分間煮沸した。）
・界面活性剤処理（ＬＡＭ含有試料に、終濃度が０．００５〜０．５％となるように各種の非イオン性界面活性剤（Brij 56、Triton-N-101、Triton
X-405、Triton X-114又はTergitol NP-9）を等量添加して混合した。）
・ＢＧ処理（ＬＡＭ含有試料に、終濃度が５０ｐｇ／ｍＬとなるようにパキマンを等量添加して混合した。）
・コンカナバリンＡ処理（湿重量０．２５ｇのコンカナバリンＡ(Con A)セファロース４Ｂ（アマシャム・バイオサイエンス社販売）にＬＡＭ水溶液１ｍＬを添加し、混合した後、３，０００ｒｐｍで１０分間遠心分離して得られる上清を用いた。）
・抗結核抗体に対する反応性（ＬＡＭの抗結核抗体（抗ヒト型結核死菌体モノクローナル抗体）に対する反応性を検討した。）
・抗Ｃ因子抗体処理（ＬＡＭ含有試料に、「Ｅｔ特異的リムルス試薬（商品名：エンドスペック  ＥＳテストＭＫ、生化学工業株式会社販売）１バイアルに、マウス抗Ｃ因子モノクローナル抗体（２Ｃ１２；腹水）の２０倍希釈液１４０μｌを添加した溶液」を添加して、リムルス反応を行ったもの。）
結果を表１に示す。なお、表１中の「＋」は反応が検知されたことを示し、表１中で具体的な数値を示してあるものは、無処理の試料（コントロール）における反応性を１００％としたときの相対値を意味する。【０１０４】
【表１】
0004637750.tif 000002
【０１０５】
この結果から、ＬＡＭがリムルス試薬に対して反応性を有する（Ｃ因子活性化能を有する）ことが明らかになった。したがって、リムルス試薬を用いてＬＡＭの測定や、ＬＡＭを細胞壁成分として保持する抗酸菌の検知が可能であることが示された。【０１０６】
また、ＬＡＭが有するリムルス試薬反応性は、ポリミキシンＢ、強アルカリ性物質、各種の非イオン性界面活性剤、ＢＧ、コンカナバリンＡ等によって消失又は低減させることができることが明らかとなった。【０１０７】
また、ＬＡＭが抗結核抗体に反応することが確認されたことから、ＬＡＭ含有試料を抗結核抗体と反応させておくことによっても、ＬＡＭのリムルス試薬に対する反応性を消失又は低減させることができることが示唆された。【０１０８】
さらに、ＬＡＭが抗結核抗体やコンカナバリンＡ等と結合することが示されたことから、これらを用いてＬＡＭの除去等もできることが示された。  
したがって、ＬＡＭ含有試料をこのような物質で処理することによって、ＬＡＭの影響を受けずにＥｔやＢＧの測定ができることが示された。さらに、これによってＬＡＭの影響を受けずにＥｔ関連疾患や真菌症の検知もできることが示された。さらに、抗結核抗体やコンカナバリンＡ等をＬＡＭの結合剤として用いたり、ＬＡＭの除去等に用いることができることも示された。
【実施例２】
【０１０９】
（１）本発明ＬＡＭ測定キット（本発明抗酸菌検知キット）の製造例
以下の構成試薬からなるキットを作製した。
Ａ．Ｅｔ特異的比色法リムルス試薬
カブトガニ（タキプレウス・トリデンタツス）の血球（アメボサイト）から国際公開ＷＯ９０／０２９５１号パンフレットの参考例３に記載の方法に従って調製したＧ因子の反応性を喪失させたライセートと、発色合成基質（Boc-Leu-Gly-Arg-pNA）等を含む凍結乾燥品。
Ｂ．蒸留水（Ｅｔフリー）
ブランクテスト、陽性コントロールの溶解と希釈、及び検体の希釈等に用いる。
Ｃ．緩衝液
０．２モル／Ｌ トリス-塩酸緩衝液（ｐＨ ８．０）。リムルス試薬の溶解及び反応に用いる。
Ｄ．陽性コントロール
ＬＡＭを含有する凍結乾燥品。【０１１０】
検体を予め前記「＜１＞本発明ＬＡＭ測定方法」に記載の方法で加熱してから、本キットを用いてリムルス反応を行わせることによって、検体中のＬＡＭ（抗酸菌）をＥｔの影響を受けることなく測定・検知できる。
（２）本発明Ｅｔ測定キット（本発明Ｅｔ関連疾患検知キット）の製造例
以下の構成試薬からなるキットを作製した。
Ａ．Ｅｔ特異的比色法リムルス試薬
エンドスペック  ＥＳテストＭＫ（商品名；生化学工業株式会社販売）を用いる。
Ｂ．蒸留水（Ｅｔフリー）
ブランクテスト、陽性コントロールの溶解と希釈、及び検体の希釈等に用いる。
Ｃ．緩衝液
０．２モル／Ｌ トリス-塩酸緩衝液（ｐＨ ８．０）。リムルス試薬の溶解及び反応に用いる。
Ｄ．陽性コントロール
大腸菌０１１１：Ｂ４株由来のＥｔを含有する凍結乾燥品。
Ｅ．血液前処理液
第１液：０．２モル／Ｌ ＫＯＨ、０．２％ ポリブレン
第２液：０．２％ Triton X-100、０．１４％ エチレンイミンポリマー、０．０２モル／Ｌ ＣａＣｌ２、０．０６モル／Ｌ ビシン
この前処理液は、検体として血漿又は血清を用いる際に、その中のリムルス反応妨害因子を不活化するために用いる。使用直前に、第１液と第２液とを混合する。
Ｆ．界面活性剤
Tergitol NP-9を０．０１％含有する水溶液。【０１１１】
界面活性剤は、ＬＡＭのリムルス試薬反応性の除去のために用いる。すなわち、検体（血液検体の場合は、血液前処理液で処理したもの）を予めこの界面活性剤で処理し、その後にリムルス反応を行わせることによって、Ｅｔ（Ｅｔ関連疾患）を、ＬＡＭの影響を受けることなく測定・検知できる。【０１１２】
本発明を詳細にまた特定の実施態様を参照して説明したが、本発明の精神と範囲を逸脱すること無く様々な変更や修正を加えることができることは当業者にとって明らかである。【０１１３】
本出願は、2003年12月22日出願の日本特許出願 (特願2003-425472)に基づくものであり、その内容はここに参照として取り込まれる。ここに引用されるすべての参照は全体として取り込まれる。
【産業上の利用可能性】
【０１１４】
本発明ＬＡＭ測定方法、本発明抗酸菌検知方法、本発明ＬＡＭ測定キット及び本発明抗酸菌検知キットは、ＬＡＭや抗酸菌の測定・検知に利用することができる。
また、本発明反応性除去方法は、リムルス反応におけるＬＡＭの影響の除去に利用することができる。【０１１５】
また、本発明Ｅｔ測定方法、本発明Ｅｔ関連疾患検知方法、本発明Ｅｔ測定キット及び本発明Ｅｔ関連疾患検知キットは、ＥｔやＥｔ関連疾患の測定・検知に利用することができる。【０１１６】
また、本発明ＢＧ測定方法、本発明真菌症検知方法、本発明ＢＧ測定キット及び本発明真菌症検知キットは、ＢＧや真菌症の測定・検知に利用することができる。